(57)【要約】      （修正有）【課題】デジタルチケットを直接用いずに入場管理を行うことが可能な入場管理システムを提供する。【解決手段】入場者管理システムは、特定エリアへの入場に先んじて、正当権限者のユーザ端末から、交通系ＩＣカードを一意に識別可能で、当該正当権限者が特定エリアに来場する際に使用可能な交通系ＩＣカードの、第１のタイプのカードＩＤを取得するカードＩＤ取得部１０６と、取得した第１のタイプのカードＩＤを、当該正当権限者が特定エリアへ入場するためのデジタルチケットを識別するチケットＩＤと関連付けて記憶する入場者情報記憶部１０４と、特定エリアへの入場時に、認証対象者が特定エリアに来場する際に使用した交通系ＩＣカードから、当該交通系ＩＣカードの第１のタイプのカードＩＤを取得して、入場者情報記憶部の正当権限者の第１のタイプのカードＩＤと照合する照合部１１２とを備える。【選択図】図１
2019113893.tif 000002
【特許請求の範囲】
【請求項１】
入場を許可すべき正当権限者のみが入場可能な特定エリアへの入場管理を行うための入場管理システムであって、
前記特定エリアへの入場に先んじて、前記正当権限者のユーザ端末から、交通系ＩＣカードを一意に識別可能な第１のタイプのカードＩＤであって、前記正当権限者が前記特定エリアに来場する際に使用可能な交通系ＩＣカードの第１のタイプのカードＩＤを取得するカードＩＤ取得部と、
前記取得された第１のタイプのカードＩＤを、前記正当権限者が前記特定エリアへ入場するためのデジタルチケットを識別するチケットＩＤと関連付けて記憶する入場者情報記憶部と、
認証対象者の前記特定エリアへの入場時に、前記認証対象者が前記特定エリアに来場する際に使用した交通系ＩＣカードから、当該交通系ＩＣカードの第１のタイプのカードＩＤを取得して、前記入場者情報記憶部に記憶された前記正当権限者の第１のタイプのカードＩＤと照合する照合部と、
を備える入場管理システム。
【請求項２】
前記入場者情報記憶部は、前記チケットＩＤと、前記正当権限者の前記第１のタイプのカードＩＤと、に加えて、交通系ＩＣカードに関連する、前記第１のタイプのカードＩＤとは異なるタイプの第２のタイプのカードＩＤであって、前記正当権限者が前記特定エリアに来場する際に使用可能な交通系ＩＣカードの第２のタイプのカードＩＤとも関連付けて記憶し、
前記照合部は、前記第１のタイプのカードＩＤに代えて、前記認証対象者の前記特定エリアへの入場時に、前記認証対象者が前記特定エリアに来場する際に使用した交通系ＩＣカードから、当該交通系ＩＣカードの第２のタイプのカードＩＤを取得して、前記入場者情報記憶部に記憶された前記正当権限者の第２のタイプのカードＩＤと照合する、
請求項１に記載の入場管理システム。
【請求項３】
前記正当権限者の前記ユーザ端末からの要求に応じて、前記ユーザ端末にデジタルチケットを割り当て、当該デジタルチケットのチケットＩＤを前記正当権限者のチケットＩＤとして前記入場者情報記憶部に記憶するチケット配信部をさらに備える、請求項１または２に記載の入場管理システム。
【請求項４】
認証ＩＤは、ＦｅｌｉＣａ認証サーバによる前記正当権限者の前記交通系ＩＣカードについての活性化処理がなされたことによって、前記ユーザ端末が前記正当権限者の前記交通系ＩＣカードから取得した認証ＩＤであって、
当該認証ＩＤを前記ユーザ端末から取得して前記入場者情報記憶部に記憶する認証ＩＤ記憶部をさらに備える、請求項１から３のいずれか一項に記載の入場管理システム。
【請求項５】
コンピュータシステムにより実行され、入場を許可すべき正当権限者のみが入場可能な特定エリアへの入場管理を行うための方法であって、
前記特定エリアへの入場に先んじて、前記正当権限者のユーザ端末から、交通系ＩＣカードを一意に識別可能な第１のタイプのカードＩＤであって、前記正当権限者が前記特定エリアに来場する際に使用可能な交通系ＩＣカードの第１のタイプのカードＩＤを取得するステップを含み、
前記コンピュータシステムは、前記取得された第１のタイプのカードＩＤを、前記正当権限者が前記特定エリアへ入場するためのデジタルチケットを識別するチケットＩＤと関連付けて記憶する入場者情報記憶部を備え、さらに、
認証対象者の前記特定エリアへの入場時に、前記認証対象者が前記特定エリアに来場する際に使用した交通系ＩＣカードから、当該交通系ＩＣカードの第１のタイプのカードＩＤを取得して、前記入場者情報記憶部に記憶された前記正当権限者の第１のタイプのカードＩＤと照合するステップと、
を含む方法。
【請求項６】
請求項５に記載の方法をコンピュータシステムに実行させるためのプログラム。
【発明の詳細な説明】
【技術分野】
【０００１】
本発明は、イベント会場等への入場時にユーザ認証を行う入場管理システムに関する。
【背景技術】
【０００２】
近年、イベント等へ参加するためにペーパーレスでの入場が可能となる電子チケットの需要が高まっている（例えば、特許文献１）。
【先行技術文献】
【特許文献】
【０００３】
【特許文献１】特開平１１−２２５１４３号
【発明の概要】
【発明が解決しようとする課題】
【０００４】
スマートフォンなどからインターネット購入サイトにてデジタルチケットを購入し、コンサート等のイベント会場の入場時に当該デジタルチケットのバーコードやＱＲコード（登録商標）を表示させて本人認証を行うデジタルチケットシステムは、簡便に本人確認が行えるメリットがある一方で、来場者がスマートフォンの操作に不慣れであったり、バッテリ切れによってデジタルチケットのバーコードやＱＲコードが表示できない、スマートフォン等の端末を自宅に忘れてきてしまい入場できない、等の問題が発生していた。
【０００５】
このような課題に鑑み、本発明は、デジタルチケットを直接用いずに入場管理を行うことが可能な入場管理システムを提供することを目的とする。
【課題を解決するための手段】
【０００６】
上記課題を解決するために、本発明の一態様は、入場を許可すべき正当権限者のみが入場可能な特定エリアへの入場管理を行うための入場管理システムであって、前記特定エリアへの入場に先んじて、前記正当権限者のユーザ端末から、交通系ＩＣカードを一意に識別可能な第１のタイプのカードＩＤであって、前記正当権限者が前記特定エリアに来場する際に使用可能な交通系ＩＣカードの第１のタイプのカードＩＤを取得するカードＩＤ取得部と、前記取得された第１のタイプのカードＩＤを、前記正当権限者が前記特定エリアへ入場するためのデジタルチケットを識別するチケットＩＤと関連付けて記憶する入場者情報記憶部と、認証対象者の前記特定エリアへの入場時に、前記認証対象者が前記特定エリアに来場する際に使用した交通系ＩＣカードから、当該交通系ＩＣカードの第１のタイプのカードＩＤを取得して、前記入場者情報記憶部に記憶された前記正当権限者の第１のタイプのカードＩＤと照合する照合部と、を備える入場管理システムである。
【０００７】
また、本発明の他の態様は、コンピュータシステムにより実行され、入場を許可すべき正当権限者のみが入場可能な特定エリアへの入場管理を行うための方法であって、前記特定エリアへの入場に先んじて、前記正当権限者のユーザ端末から、交通系ＩＣカードを一意に識別可能な第１のタイプのカードＩＤであって、前記正当権限者が前記特定エリアに来場する際に使用可能な交通系ＩＣカードの第１のタイプのカードＩＤを取得するステップを含み、前記コンピュータシステムは、前記取得された第１のタイプのカードＩＤを、前記正当権限者が前記特定エリアへ入場するためのデジタルチケットを識別するチケットＩＤと関連付けて記憶する入場者情報記憶部を備え、さらに、認証対象者の前記特定エリアへの入場時に、前記認証対象者が前記特定エリアに来場する際に使用した交通系ＩＣカードから、当該交通系ＩＣカードの第１のタイプのカードＩＤを取得して、前記入場者情報記憶部に記憶された前記正当権限者の第１のタイプのカードＩＤと照合するステップと、を含む方法である。
【０００８】
また、本発明の他の態様は、上記の方法をコンピュータシステムに実行させるためのプログラムである。
【図面の簡単な説明】
【０００９】
【図１】本発明の一実施形態に係る入場管理システムの概要を説明する図である。
【図２】本発明の一実施形態に係る入場管理システムの構成の一例を示す図である。
【図３】本発明の一実施形態に係る入場者情報記憶部に記憶されるデータの一例を示す。
【図４】本発明の一実施形態に係る各装置のハードウェア構成の一例を示す図である。
【図５】本発明の一実施形態に係る入場管理システムのイベントへの参加申し込み時に関する処理の一例を示すシーケンス図である。
【図６】本発明の一実施形態に係る入場管理システムのイベント会場への入場時に関する処理の一例を示すシーケンス図である。
【発明を実施するための形態】
【００１０】
以下、図面を参照して、本発明の実施形態について説明する。以下の説明において参照する各図では、他の図と同等部分は同一符号によって示される。
【００１１】
（入場管理システムの概要）
図１は、本実施形態に係る入場管理システムの概要を説明する図である。例えばコンサート等のイベントに参加しようとする者は、事前に自身のスマートフォン等のコンピュータ端末（ユーザ端末２０）からチケットサーバ１０（例えばチケット販売サイト）にインターネットを介してアクセスし、チケット購入手続きを行う（ただし無償でチケットが配信される場合もある）。チケットサーバ１０はチケット購入手続きにおいてユーザから入力された氏名・住所等のユーザデータをチケットサーバ１０のデータベース等の記憶装置に記憶するとともに、デジタルチケットをユーザ端末２０に配信する（ＳＴ１）。
【００１２】
参加者はデジタルチケットをチケットサーバ１０からユーザ端末２０にダウンロードした後、ユーザ端末２０を、イベント会場までの交通機関で使用する予定の交通系ＩＣカード２１にかざす。本実施形態においては一例として、交通系ＩＣカード２１はＦｅｌｉＣａ（登録商標）機能を搭載しているカードとする。具体的には、例えば、交通系ＩＣカード２１として、Ｓｕｉｃａ（登録商標）、ＰＡＳＭＯ（登録商標）等が用いられうる。そして、参加者がユーザ端末２０を自身が使用予定の交通系ＩＣカード２１にかざして、ユーザ端末２０のＮＦＣ（Near Field Communication）機能などによって交通系ＩＣカード２１のＩＤｍ（カードＩＤ）を読み出す（ＳＴ２）。そして、読み出されたＩＤｍは、ユーザ端末２０からチケットサーバ１０に送信される（ＳＴ３）。
【００１３】
チケットサーバ１０は、受信した交通系ＩＣカード２１のＩＤｍを参加者へのチケット配信時に記憶した参加者のユーザデータに関連付けて保存しておく（ＳＴ４）。そして、チケットサーバ１０は、ＦＰ（ＦｅｌｉＣａポケット）認証サーバ３０に対して当該交通系ＩＣカード２１に対するＦＰ認証（活性化要求）を要求する（ＳＴ５）。ＦＰ認証サーバ３０は、当該交通系ＩＣカード２１についての活性化処理を行い、活性化処理が成功すると、その旨をチケットサーバ１０に通知する。さらに、チケットサーバ１０はユーザ端末２０に活性化なされた旨の通知を行う（ＳＴ６）。
【００１４】
ユーザ端末２０はチケットサーバ１０から活性化の通知を受信すると、交通系ＩＣカード２１にあらかじめ記憶されているＦＰＩＤ（ＦｅｌｉＣａポケットのＩＤ）を読み出すことができるようになる（活性化前では鍵がかかっており読み出せない）。ユーザ端末２０は交通系ＩＣカード２１からＦＰＩＤを読み出す（ＳＴ７）。そして、ユーザ端末２０は読み出した当該ＦＰＩＤをＩＤｍとともにチケットサーバ１０に送信する（ＳＴ８）。また、チケットサーバ１０は、ユーザ端末２０からＦＰＩＤを受信すると、当該ＦＰＩＤを当該参加者のユーザデータと関連付けて保存する。
【００１５】
イベント開催前に上記のような処理を実行した後、参加者はイベント当日に、当該交通系ＩＣカード２１を使用して交通機関を利用し、イベント会場に到着する（ＳＴ９）。そして、参加者は交通系ＩＣカード２１を用いて、例えばイベント会場入口のセキュリティゲート等（図示しない）を通過すると、イベント会場に入場することができる。イベント会場では、セキュリティゲート等が認証機能を有しており、参加者の交通系ＩＣカード２１から読み出したＦＰＩＤをチケットサーバ１０に問い合わせることで、正規に登録された参加者であることを確認する。
【００１６】
なお、図１は一例として説明したものであり、本実施形態に係る入場管理システムはこれに限定されるものではない。
【００１７】
（入場管理システムの構成）
図２は、本実施形態に係る入場管理システムの構成の一例を示す図である。本実施形態に係る入場管理システム１は、イベント参加者が操作するユーザ端末２０と、イベント会場への入場を許可すべき正当権限者のみが入場可能な特定エリアへの入場管理を行うチケットサーバ１０と、ＦＰ認証サーバ３０とを含んで構成される。チケットサーバ１０は、イベント参加希望者が操作するユーザ端末２０からの要求に応じて有償・無償のデジタルチケットの配信も行い、チケットサーバ１０は、例えばチケット販売サイトを提供するサーバ装置である。また、ＦＰ認証サーバ３０は、ＦｅｌｉＣａ認証を行うサーバ装置である。
【００１８】
（ユーザ端末）
ユーザ端末２０は、イベント参加者が操作可能なスマートフォン等のコンピュータ端末である。また、ユーザ端末２０は、例えばＮＦＣのように交通系ＩＣカード２１と通信する機能を有する。ユーザ端末２０は、チケット取得部２０２と、カードＩＤ出力部２０４と、認証ＩＤ取得部２０６とを有する。
【００１９】
チケット取得部２０２は、チケットサーバ１０からデジタルチケットを取得する。より具体的には例えば、チケット取得部２０２は、インターネットを介してチケットサーバ１０にアクセスし、例えば入場の申し込み用のウェブサイト等において、参加希望者の操作に従って当該参加希望者の氏名・住所・電話番号等のユーザデータの入力を受け付け、当該ユーザデータをチケットサーバ１０に送信する。送信されたユーザデータは、後述するチケットサーバ１０のチケット配信部１０２に受信されて、参加申し込みが受け付けられる。その後、チケットサーバ１０にてチケット配信処理が完了すると、チケットサーバ１０のチケット配信部１０２からデジタルチケットが配信される。チケット取得部２０２は、当該デジタルチケットのデータを受信してユーザ端末２０内のハードディスク等の記憶装置に記憶する。
【００２０】
カードＩＤ出力部２０４は、例えばＮＦＣ等の機能を使用して正当権限者（デジタルチケットを配信された参加希望者等）が特定エリアに来場する際に使用可能な交通系ＩＣカード２１から、当該交通系ＩＣカード２１のカードＩＤを取得して、当該カードＩＤをチケットサーバ１０に出力する。この時、チケットＩＤも一緒に出力してもよい。出力されたカードＩＤはチケットサーバ１０のカードＩＤ取得部１０６において取得される。カードＩＤは、交通系ＩＣカードを一意に識別可能なカードＩＤである。「カードＩＤ」は、本実施形態においてはＩＤｍが該当する。なお、正当権限者とは、例えば正規に参加の申し込みを行った者だけではなく、当該参加申込者から正当に入場する権限を譲り受けた者（例えばイベントへの参加者の変更手続きを行う）等も該当しうる。
【００２１】
認証ＩＤ取得部２０６は、ＦＰ認証サーバ３０において活性化がなされた旨の通知を受け取ると、ＮＦＣ機能等を用いて交通系ＩＣカード２１から認証ＩＤを取得する。そして、取得した認証ＩＤをチケットサーバ１０に送信する。「認証ＩＤ」は、本実施形態においてはＦＰＩＤが該当する。
【００２２】
（チケットサーバ）
チケットサーバ１０は、チケット配信部１０２と、入場者情報記憶部１０４と、カードＩＤ取得部１０６と、活性化要求部１０８と、認証ＩＤ記憶部１１０と、照合部１１２と、結果出力部１１４と、発行部１１６とを有する。
【００２３】
チケット配信部１０２は、ユーザ端末２０のチケット取得部２０２からの要求に応じて、ユーザ端末２０にデジタルチケットを配信する。この時、配信したデジタルチケットのチケットＩＤを（ユーザ端末２０から送信される参加希望者の氏名・住所・電話番号等のユーザデータとともに）入場者情報記憶部１０４に記憶する。
【００２４】
カードＩＤ取得部１０６は、特定エリアへの入場に先んじて、正当権限者のユーザ端末２０から、交通系ＩＣカードを一意に識別可能なカードＩＤ（本実施形態のＩＤｍが該当）であって、当該正当権限者が特定エリアに来場する際に使用可能な交通系ＩＣカードのカードＩＤをユーザ端末２０から取得する。
【００２５】
入場者情報記憶部１０４は、カードＩＤ取得部１０６において取得される正当権限者が特定エリアに来場する際に使用可能な交通系ＩＣカードのカードＩＤを、正当権限者が所有する特定エリアへ入場するためのチケットを識別するチケットＩＤと関連付けて記憶する。また、入場者情報記憶部１０４は、チケットＩＤと、正当権限者のカードＩＤと、に加えて、交通系ＩＣカードに関連する、カードＩＤとは異なるタイプのＩＤである認証ＩＤ（本実施形態のＦＰＩＤが該当）であって、正当権限者が特定エリアに来場する際に使用可能な交通系ＩＣカードの認証ＩＤとも関連付けて記憶するようになっていてもよい。
【００２６】
図３は、入場者情報記憶部１０４に記憶されるデータの一例を示す。図３においては、デジタルチケットを一意に識別するチケットＩＤ、参加申込者の氏名・住所・電話番号のユーザデータ、カードＩＤ、および認証ＩＤが、データベース形式で関連付けられている。
【００２７】
まず、ユーザ端末２０からチケットサーバ１０に対してデジタルチケットの購入等の申し込みがあった場合、チケットサーバ１０はユーザ端末２０にデジタルチケットを配信するとともに、当該デジタルチケットのチケットＩＤを、購入申し込みの際に送信される申込者のユーザデータとともに入場者情報記憶部１０４に記憶する。その後、例えば申込者がユーザ端末２０を、イベント当日に会場まで利用する予定の交通機関の交通系ＩＣカード２１にかざして当該交通系ＩＣカード２１に記憶されているカードＩＤ（例えばＩＤｍ）をＮＦＣ機能等により取得すると、当該カードＩＤが入場者情報記憶部１０４に記憶される（図３の「カードＩＤ」の欄）。また、その後、当該交通系ＩＣカード２１についてＦＰ認証サーバ３０において活性化処理（ＦｅｌｉＣａ認証）が実行されると、その旨がＦＰ認証サーバ３０からチケットサーバ１０に通知される。チケットサーバ１０はさらに、ユーザ端末２０に活性化処理がなされた旨を通知する。
【００２８】
交通系ＩＣカード２１について活性化処理が実行されると、ユーザ端末２０は当該交通系ＩＣカード２１にあらかじめ記憶されている認証ＩＤ（例えばＦＰＩＤ）をＮＦＣ等の機能により読み出すことができる。ユーザ端末２０は交通系ＩＣカード２１から認証ＩＤを読み出すと、当該認証ＩＤをカードＩＤとともにチケットサーバ１０へ送信する。チケットサーバ１０は受信した認証ＩＤを入場者情報記憶部１０４に記憶する（図３の「認証ＩＤ」の欄）。
【００２９】
なお、事後的に、例えばイベントへの参加者が別の者に変更される等して入場の権限が他の者に譲渡された場合は、例えばオンラインにて参加者変更のために新たな参加者の氏名・住所・電話番号等の情報が登録されると、図３の「氏名」「住所」「電話番号」欄の内容が変更されるようになっていてもよい。さらに、イベント当日に使用される予定の交通系ＩＣカード２１が何らかの理由により変更になった場合には、カードＩＤおよび認証ＩＤの登録処理が再度実行されて、入場者情報記憶部１０４の内容が更新されるようになっていてもよい。
【００３０】
図２に戻り、活性化要求部１０８は、イベント参加申し込みを行なった正当権限者の交通系ＩＣカード２１の活性化処理（ＦｅｌｉＣａ認証）を要求する。また、ＦＰ認証サーバ３０において活性化処理が正常に終了すると、その旨がチケットサーバ１０に通知され、さらにチケットサーバ１０からユーザ端末２０に通知される。
【００３１】
認証ＩＤ記憶部１１０は、活性化処理後にユーザ端末２０が正当権限者の交通系ＩＣカード２１から読み出した認証ＩＤをユーザ端末２０から受信して、入場者情報記憶部１０４に、当該正当権限者のチケットＩＤとカードＩＤとに関連付けて記憶させる（図３参照）。
【００３２】
照合部１１２は、認証対象者の特定エリアへの入場時に、認証対象者が特定エリアに来場する際に使用した交通系ＩＣカードから、当該交通系ＩＣカードのカードＩＤを取得して、入場者情報記憶部１０４に記憶された正当権限者のカードＩＤと照合する。また、入場者情報記憶部１０４が、チケットＩＤと、正当権限者のカードＩＤとに加えて、正当権限者の交通系ＩＣカードの認証ＩＤとも関連付けて記憶している場合には、照合部１１２は、カードＩＤに代えて、認証対象者の特定エリアへの入場時に、認証対象者が特定エリアに来場する際に使用した交通系ＩＣカードから、当該交通系ＩＣカードの認証ＩＤを取得して、入場者情報記憶部１０４に記憶された正当権限者の認証ＩＤと照合してもよい。
【００３３】
結果出力部１１４は、照合部１１２における照合結果を出力する。より具体的には例えば、照合部１１２における照合結果が照合不成功であるとの結果であった場合には、チケットサーバ１０に備えられているディスプレイ（図示しない）に、照合不成功であった旨のメッセージを表示するようになっていてもよい。また、例えば入場管理システム１の付近にいる係員用のコンピュータ（スマートフォン等の携帯端末を含む）に照合結果が表示されるようになっていてもよい。そして、係員は照合結果が不成功であった場合には、例えば入場者情報記憶部１０４に保存されている正当権限者の住所等のユーザデータを係員用のコンピュータに表示し、実際に来場した認証対象者が携行している身分証明証に記載のユーザデータと目視で確認するようになっていてもよい。この時、例えば係員用のコンピュータに、照合結果とともに入場者情報記憶部１０４に保存されている正当権限者のユーザデータが送信されるようになっていてもよいし、予め係員用コンピュータに入場者情報記憶部１０４に記憶されている正当権限者のユーザデータのコピーが保存されていてもよい。
【００３４】
発行部１１６は、照合部１１２における照合が成功した場合に、特定エリア内において使用される情報を発行する。例えば、発行部１１６は、照合部１１２における照合が成功した場合には、当該認証対象者（入場者）に割り当てられたイベント会場等の特定エリアでの座席を示す座席券を発券する。そして、認証対象者は発行された座席券を受け取って特定エリアに入場することで、自身の座席に着席することができる。また、発行部１１６による情報の発行方法は、例えば、紙ベースで印刷出力する、情報を電子データの形式で入場者の携帯端末に送信する、等の様々な方法がありうる。発行方法は、紙ベースであってもよいし、電子データの形式であってもよいし、音声によって出力する等となっていてもよい。
【００３５】
（ＦＰ認証サーバ）
ＦＰ認証サーバ３０は、ＦｅｌｉＣａ認証を実行するサーバ装置である。ＦＰ認証サーバ３０は、活性化処理部３０２を有する。
【００３６】
活性化処理部３０２は、チケットサーバ１０の活性化要求部１０８から、正当権限者の交通系ＩＣカード２１の活性化の要求を受け付けると活性化処理を行う。この活性化処理については公知の技術であるのでここでは詳述しない。活性化処理が正常に完了すると、活性化処理部３０２は、チケットサーバ１０にその旨を通知する。
【００３７】
以上、本実施形態に係る入場管理システム１の構成の一例を説明したが、これに限定されるものではない。チケットサーバ１０における各構成は、本実施形態においては１つの装置内に備えられているようになっているが、これらの構成は複数の装置に分散されていてもよい。さらに、各構成は、複数の装置が協働して実現されてもよい。
【００３８】
（ハードウェア構成）
上記説明した各装置は、一般的なコンピュータ装置と同様のハードウェア構成によって実現可能である。図４は、各装置のハードウェア構成の一例を示す図である。図４に示されるコンピュータ装置４は、一例として、プロセッサ４１と、ＲＡＭ４２と、ＲＯＭ４３と、内蔵のハードディスク装置４４と、外付けハードディスク装置、ＣＤ、ＤＶＤ、ＵＳＢメモリ、メモリスティック、ＳＤカード等のリムーバブルメモリ４５と、他のコンピュータ装置と通信可能な有線／無線の通信インタフェース４６と、ユーザがデータのやり取りを行うための入出力ユーザインタフェース４７（ディスプレイ、タッチパネル、キーボード、マウス、スピーカ、ランプ等）とを備える。本実施形態に係る各装置の各構成の機能は、例えば、プロセッサ４１が、ハードディスク装置４４やＲＯＭ４３、リムーバブルメモリ４５等にあらかじめ格納されたプログラムをＲＡＭ４２等のメモリに読み出して実行することで実現可能である。なお、図４に示されるハードウェア構成はあくまで一例であって、これに限定されるものではない。
【００３９】
（処理シーケンス）
図５および図６は、本実施形態に係る入場管理システムにおける処理の一例を示すシーケンス図である。図５および図６のシーケンス図においては、カードＩＤはＩＤｍであり、認証ＩＤはＦＰＩＤであるとして説明する。
【００４０】
（参加申し込み時シーケンス）
図５は、イベントへの参加申し込み時に関する処理の一例を示すシーケンス図である。
【００４１】
イベントへの参加希望者がユーザ端末２０を操作してチケットサーバ１０にアクセスして（例えばチケット購入サイト等）、自身の氏名・住所・電話番号等のユーザデータを入力して参加申し込みの処理を行うと、当該ユーザデータを含む申し込みの内容がチケットサーバ１０に送信される（ステップＳ１０２）。チケットサーバ１０は、申し込み内容を受信すると、当該参加希望者にデジタルチケットを割り当てるとともに、受信した内容をチケットＩＤとともに入場者情報記憶部１０４に記憶する（ステップＳ１０４）。また、チケットサーバ１０はデジタルチケットをユーザ端末２０に配信する（ステップＳ１０６）。
【００４２】
ユーザ端末２０はデジタルチケットを受信した後、例えばスマートフォン等のユーザ端末２０をイベント会場に行く際に使用する予定の交通系ＩＣカード２１にかざして、ＮＦＣ等の機能を使用して交通系ＩＣカード２１からＩＤｍを受信する（ステップＳ１０８）。ユーザ端末２０は、交通系ＩＣカード２１から受信したＩＤｍをチケットサーバ１０に送信する（ステップＳ１１０）。この時、チケットＩＤも一緒に出力してもよい。チケットサーバ１０は、ユーザ端末２０から受信したＩＤｍを入場者情報記憶部１０４に記憶する（ステップＳ１１２）。また、チケットサーバ１０は、ＦＰ認証サーバ３０に対して、当該交通系ＩＣカード２１に対する活性化処理（ＦｅｌｉＣａ認証）を要求する（ステップＳ１１４）。ＦＰ認証サーバ３０はチケットサーバ１０からの活性化処理の要求を受けて、活性化処理を実行する（ステップＳ１１６）。
【００４３】
ＦＰ認証サーバ３０において活性化処理が成功すると、その旨がチケットサーバ１０に通知される（ステップＳ１１８）。また、チケットサーバ１０は、さらにその旨をユーザ端末１０に通知する（ステップＳ１２０）。活性化処理がなされると、ユーザ端末２０は交通系ＩＣカード２１からＦＰＩＤを読み出すことができるようになる。ユーザ端末２０は、ＮＦＣ等の機能を使用して交通系ＩＣカード２１からＦＰＩＤを読み出して（ステップＳ１２２）、ＩＤｍとともにチケットサーバ１０に送信する（ステップＳ１２４）。チケットサーバ１０は、ユーザ端末２０からＦＰＩＤを受信すると、当該ＦＰＩＤを入場者情報記憶部１０４に記憶する（ステップＳ１２６）。
【００４４】
なお、イベント参加予定者がイベント会場に来場する際に使用する交通系ＩＣカード２１が変更となった場合や、イベント参加者が変更されて（正当に譲渡された場合等）交通系ＩＣカード２１が変更となる場合などは、上記のステップＳ１０８〜Ｓ１２６までの処理が再度実行されるようになっていてもよい。
【００４５】
（インベント会場入場時シーケンス）
図６は、イベント会場への入場時に関する処理の一例を示すシーケンス図である。
【００４６】
イベント参加者（認証対象者）は、ＦＰＩＤが記憶されている交通系ＩＣカード２１を使用して交通機関を利用し、イベント会場に来場する。参加者がイベント会場に入場する際は、交通系ＩＣカード２１を、例えば会場入口のセキュリティゲート等（図示しない）にタッチする。セキュリティゲート等は、交通系ＩＣカード２１に記憶されているＦＰＩＤを近距離通信等にて受信し、チケットサーバ１０に転送する（ステップＳ２０２）。チケットサーバ１０は、受信したＦＰＩＤと、入場者情報記憶部１０４に記憶されている正当権限者の認証ＩＤ（本例ではＦＰＩＤ）とを照合する。受信したＦＰＩＤが入場者情報記憶部１０４に記憶されていれば（照合成功、ステップＳ２０４：Ｙｅｓ）、発行部１１６において、座席券のようにイベント会場等の特定エリア内において使用される情報を発行する（ステップＳ２０６）。また、受信したＦＰＩＤが入場者情報記憶部１０４に記憶されていない場合（照合不成功、ステップＳ２０４：Ｎｏ）、例えばスピーカから警報音が鳴る、ランプの光が点滅する、等して、入場管理システム１の付近の係員に通知するようになっていてもよい（ステップＳ２０８）。また、照合結果は、当該係員が携帯する携帯端末等に送信されるようになっていてもよい。
【００４７】
チケットサーバ１０の結果出力部１１４は、ステップＳ２０４における照合結果を出力する（ステップＳ２１０）。なお、結果出力部１１４による照合結果の出力（ステップＳ２１０）は、ステップＳ２０６およびステップＳ２０８よりも先に実行されるようなっていてもよい。
【００４８】
ここまで、本発明の一実施形態について説明したが、本発明は上述の実施形態に限定されず、その技術的思想の範囲内において種々異なる形態にて実施されてよいことは言うまでもない。
【００４９】
例えば、上述した実施形態においては、チケットサーバ１０はデジタルチケットをユーザ端末２０に配信するようになっているが、デジタルチケットを配信する代わりに、当該参加希望者から正式に参加申し込みを受け付けた旨を示す識別情報である参加資格ＩＤを、ユーザ端末２０に配信するようになっていてもよい。そして、ユーザ端末２０は、この参加資格ＩＤを交通系ＩＣカードに出力するようになっていてもよい。また、チケットサーバ１０の入場者情報記憶部１０４は、チケットＩＤに代えて参加者資格ＩＤをカードＩＤと関連付けて記憶してもよい。この場合においても、正当権限者を識別することが可能であり、イベント参加者はチケットレスでユーザ端末２０を携行せずにイベント会場に入場することが可能である。
【００５０】
また、上述した実施形態においては、チケットサーバ１０の照合部１１２は、認証対象者の交通系ＩＣカード２１から読み出される認証ＩＤと入場者情報記憶部１０４に記憶されている正当権限者の認証ＩＤとを照合することとなっているが、これに代えて、カードＩＤどうしを照合するようになっていてもよい。すなわち、カードＩＤ取得部１０６にてカードＩＤが入場者情報記憶部１０４に記憶されてチケットＩＤと関連付けられるため、イベント会場入場時は、認証対象者の交通系ＩＣカード２１から認証ＩＤ（例えばＦＰＩＤ）に代えてカードＩＤを読み出して、入場者情報記憶部１０４に記憶されている正当権限者のカードＩＤと照合してもよい。この場合も、イベント参加者はチケットレスでユーザ端末２０を携行せずにイベント会場に入場することが可能である。なお、本発明の「第１のタイプのカードＩＤ」は、本明細書中のカードＩＤが該当する。また、本発明の「第２のタイプのカードＩＤ」は、本明細書中の認証ＩＤが該当する。
【００５１】
また、照合部１１２における照合時に、カードＩＤまたは認証ＩＤの照合に加えて、顔認証が実行されてもよい。例えば、デジタルチケットの購入時などに購入者の顔画像もアップロードさせて、入場者情報記憶部１０４に顔画像データが保存されるようになっていてもよい。そして、照合部１１２にてカードＩＤまたは認証ＩＤを照合する際に、入場者（認証対象者）の顔をイベント会場入口付近に設置されたカメラ装置で撮影して、入場者情報記憶部１０４に保存されている正当権限者の顔画像データとも照合するようになっていてもよい。このように複数の要素について照合を行うことで、よりセキュリティを高めることができる。
【００５２】
また、認証対象者がイベント会場に入場した後、さらに交通系ＩＣカード２１を使用して、イベント会場内にて物品を購入したり、スタンプラリー等を行うことができるようになっていてもよい。交通系ＩＣカード２１には、チケットＩＤと紐付けられたカードＩＤまたは認証ＩＤが保存されているため、このようにして取得されたデータは、例えばチケット購入行動と関連付けたマーケティングに活用することが可能である。
【００５３】
また、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００５４】
１  入場管理システム
１０  チケットサーバ
２０  ユーザ端末
３０  ＦＰ認証サーバ
１０２  チケット配信部
１０４  入場者情報記憶部
１０６  カードＩＤ取得部
１０８  活性化要求部
１１０  認証ＩＤ記憶部
１１２  照合部
１１４  結果出力部
１１６  発行部
２０２  チケット取得部
２０４  カードＩＤ出力部
２０６  認証ＩＤ取得部
３０２  活性化処理部
【図１】
2019113893.tif 000003
【図２】
2019113893.tif 000004
【図３】
2019113893.tif 000005
【図４】
2019113893.tif 000006
【図５】
2019113893.tif 000007
【図６】
2019113893.tif 000008
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
入場を許可すべき正当権限者のみが入場可能な特定エリアへの入場管理を行うための入場管理システムであって、
前記特定エリアへの入場に先んじて、前記正当権限者のユーザ端末から、ＩＣカードを一意に識別可能な第１のタイプのカードＩＤであって、前記正当権限者が前記特定エリアに来場する際に使用可能なＩＣカードの第１のタイプのカードＩＤを取得するカードＩＤ取得部と、
前記取得された第１のタイプのカードＩＤを、前記正当権限者が前記特定エリアへ入場するためのデジタルチケットを識別するチケットＩＤと、前記正当権限者の前記ＩＣカードの、前記第１のタイプのカードＩＤとは異なるタイプの第２のタイプのカードＩＤと、を関連付けて記憶する入場者情報記憶部と、
認証対象者の前記特定エリアへの入場時に、前記認証対象者が前記特定エリアに来場する際に使用したＩＣカードから、当該ＩＣカードの第２のタイプのカードＩＤを取得して、前記入場者情報記憶部に記憶された前記正当権限者の第２のタイプのカードＩＤと照合する照合部と、
を備え、
前記入場者情報記憶部に記憶される前記正当権限者の前記第２のタイプのカードＩＤは、認証サーバによる前記正当権限者の前記ＩＣカードについての認証処理がなされたことによって、前記ユーザ端末が前記正当権限者の前記ＩＣカードから取得した認証ＩＤであって、
当該認証ＩＤを前記ユーザ端末から取得して前記第２のタイプのカードＩＤとして前記入場者情報記憶部に記憶する認証ＩＤ記憶部をさらに備える、入場管理システム。
【請求項２】
前記正当権限者の前記ユーザ端末からの要求に応じて、前記ユーザ端末にデジタルチケットを割り当て、当該デジタルチケットのチケットＩＤを前記正当権限者のチケットＩＤとして前記入場者情報記憶部に記憶するチケット配信部をさらに備える、請求項１に記載の入場管理システム。
【請求項３】
コンピュータシステムにより実行され、入場を許可すべき正当権限者のみが入場可能な特定エリアへの入場管理を行うための方法であって、
前記特定エリアへの入場に先んじて、前記正当権限者のユーザ端末から、ＩＣカードを一意に識別可能な第１のタイプのカードＩＤであって、前記正当権限者が前記特定エリアに来場する際に使用可能なＩＣカードの第１のタイプのカードＩＤを取得するステップを含み、
前記コンピュータシステムは、前記取得された第１のタイプのカードＩＤを、前記正当権限者が前記特定エリアへ入場するためのデジタルチケットを識別するチケットＩＤと、前記正当権限者の前記ＩＣカードの、前記第１のタイプのカードＩＤとは異なるタイプの第２のタイプのカードＩＤと、を関連付けて記憶する入場者情報記憶部を備え、さらに、
認証対象者の前記特定エリアへの入場時に、前記認証対象者が前記特定エリアに来場する際に使用したＩＣカードから、当該ＩＣカードの第２のタイプのカードＩＤを取得して、前記入場者情報記憶部に記憶された前記正当権限者の第２のタイプのカードＩＤと照合するステップと、
を含み、
前記入場者情報記憶部に記憶される前記正当権限者の前記第２のタイプのカードＩＤは、認証サーバによる前記正当権限者の前記ＩＣカードについての認証処理がなされたことによって、前記ユーザ端末が前記正当権限者の前記ＩＣカードから取得した認証ＩＤであって、
当該認証ＩＤを前記ユーザ端末から取得して前記第２のタイプのカードＩＤとして前記入場者情報記憶部に記憶するステップをさらに含む、方法。
【請求項４】
請求項３に記載の方法をコンピュータシステムに実行させるためのプログラム。